(57)【要約】【課題】正置き及び天吊りのいずれで設置した場合であっても、外部に引き回された接続ケーブルを見え難いものとし、外観上好ましいプロジェクターを提供する。【解決手段】プロジェクター１は、画像情報に応じた画像を形成して投射する。このプロジェクター１は、当該プロジェクター１の外装を構成する外装筐体２を備える。外装筐体２には、天面部２１及び底面部２２を貫通した貫通孔２Ａが形成されている。貫通孔２Ａの内周面には、外部機器と接続ケーブルを介して接続する接続端子群７が配設されている。【選択図】図９
2010169862.tif 000002
【特許請求の範囲】
【請求項１】
画像情報に応じた画像を形成して投射するプロジェクターであって、
当該プロジェクターの外装を構成する外装筐体を備え、
前記外装筐体には、天面部及び底面部を貫通した貫通孔が形成され、
前記貫通孔の内周面には、外部機器と接続ケーブルを介して接続する接続端子群が配設されている
ことを特徴とするプロジェクター。
【請求項２】
請求項１に記載のプロジェクターにおいて、
前記天面部及び前記底面部には、前記貫通孔を閉塞する第１蓋体及び第２蓋体がそれぞれ着脱自在に取り付けられている
ことを特徴とするプロジェクター。
【請求項３】
請求項１または請求項２に記載のプロジェクターにおいて、
前記外装筐体は、
側壁部に前記接続端子群が配設された外装筐体本体と、前記外装筐体本体に着脱自在に取り付けられるカバー部材とを備え、前記外装筐体本体に前記カバー部材が取り付けられることで前記貫通孔が形成される
ことを特徴とするプロジェクター。
【請求項４】
請求項３に記載のプロジェクターにおいて、
前記外装筐体は、前記天面部側から見た場合に略矩形形状を有し、
前記カバー部材は、前記外装筐体における略矩形形状の角部分に設けられている
ことを特徴とするプロジェクター。
【発明の詳細な説明】
【技術分野】
【０００１】
本発明は、プロジェクターに関する。
【背景技術】
【０００２】
従来、光源装置と、光源装置から射出された光束を画像情報に応じて変調する光変調装置と、光変調装置にて変調された光束をスクリーン上に拡大投射する投射光学装置とを備えたプロジェクターが知られている（例えば、特許文献１参照）。
特許文献１に記載のプロジェクターでは、外部機器と接続ケーブルを介して接続し、外部機器から画像情報（画像信号）等を入力するための接続端子群（コネクター群）が外部に露出するように外装筐体の背面部に配設されている。
しかしながら、接続端子群に複数の接続ケーブルを接続した状態では、各接続ケーブルのコネクター等が外装筐体の背面部から突出した状態となるため、外観上好ましくない。
そこで、特許文献１に記載のプロジェクターでは、外観上好ましいものとするために、容器状のカバー部材を用い、カバー部材の開口部分を外装筐体の背面部に取り付けることでカバー部材にて接続端子群や各接続ケーブルのコネクター等を覆う構成が採用されている。そして、接続端子群に接続された複数の接続ケーブルは、外装筐体にカバー部材が取り付けられた状態で、屈曲させることでカバー部材の開口部分における底面部側に形成された切り欠きを介して外部に引き回されている。
【０００３】
【特許文献１】特開２００４−２０７４００号公報
【発明の開示】
【発明が解決しようとする課題】
【０００４】
ところで、特許文献１に記載のプロジェクターは、天井等から吊り下げて（以下、天吊り）設置する際に、天面部が下方側に向き底面部が上方側に向く姿勢となるように設計されている。
このため、例えば、天吊り設置する際に上述した姿勢と逆の姿勢（天面部が上方側に向き底面部が下方側に向く姿勢）、すなわち、机等に載置して（以下、正置き）設置する際と同様の姿勢となるようにプロジェクターが設計されている場合には、以下に示すように外観上好ましいものとすることができない。
すなわち、天吊り設置した場合には、カバー部材外部に接続ケーブルを引き回すための切り欠きが底面部側に形成されているため、切り欠きが下方側に位置することとなり、切り欠きを介して外部に引き回された接続ケーブルが見え易いものとなってしまう。
【０００５】
本発明の目的は、正置き及び天吊りのいずれで設置した場合であっても、外部に引き回された接続ケーブルを見え難いものとし、外観上好ましいプロジェクターを提供することにある。
【課題を解決するための手段】
【０００６】
本発明のプロジェクターは、画像情報に応じた画像を形成して投射するプロジェクターであって、当該プロジェクターの外装を構成する外装筐体を備え、前記外装筐体には、天面部及び底面部を貫通した貫通孔が形成され、前記貫通孔の内周面には、外部機器と接続ケーブルを介して接続する接続端子群が配設されていることを特徴とする。
本発明では、外装筐体には、天面部及び底面部を貫通し、内周面に接続端子群が配設された貫通孔が形成されている。このことにより、正置き設置と天吊り設置とで同様の姿勢となるようにプロジェクターが設計されている場合であっても、以下に示すように、外部に引き回された接続ケーブルを見え難いものとし、外観上好ましい構成とすることができる。
すなわち、プロジェクターを正置き設置した際には、接続端子群に接続された接続ケーブルを貫通孔の底面部側から外部に引き回す。このため、外部に引き回された接続ケーブルは、プロジェクターの底面部と机等との間に引き回されることとなり、すなわち、見え難い位置に引き回されることなり、外観上好ましい構成とすることができる。
一方、プロジェクターを天吊り設置した際には、接続端子群に接続された接続ケーブルを貫通孔の天面部側から外部に引き回す。このため、外部に引き回された接続ケーブルは、プロジェクターの天面部と天井等との間に引き回されることとなり、すなわち、見え難い位置に引き回されることとなり、外観上好ましい構成とすることができる。
【０００７】
本発明のプロジェクターでは、前記天面部及び前記底面部には、前記貫通孔を閉塞する第１蓋体及び第２蓋体がそれぞれ着脱自在に取り付けられていることが好ましい。
本発明では、天面部及び底面部に第１蓋体及び第２蓋体がそれぞれ着脱自在に取り付けられているので、以下に示すように、外観上さらに好ましい構成とすることができる。
すなわち、プロジェクターを正置き設置した際には、第１蓋体及び第２蓋体のうち第１蓋体のみを天面部に取り付ける。このため、第１蓋体により、接続端子群や、接続端子群に接続された接続ケーブルのコネクター等も隠すことができ、外観上さらに好ましい構成とすることができる。
一方、プロジェクターを天吊り設置した際には、第１蓋体及び第２蓋体のうち第２蓋体のみを底面部に取り付ける。このため、第２蓋体により、上記同様に、接続端子群や、接続端子群に接続された接続ケーブルのコネクター等も隠すことができ、外観上さらに好ましい構成とすることができる。
【０００８】
本発明のプロジェクターでは、前記外装筐体は、側壁部に前記接続端子群が配設された外装筐体本体と、前記外装筐体本体に着脱自在に取り付けられるカバー部材とを備え、前記外装筐体本体に前記カバー部材が取り付けられることで前記貫通孔が形成されることが好ましい。
本発明では、外装筐体が上述した外装筐体本体及びカバー部材を備え、外装筐体本体及びカバー部材により貫通孔が形成される。すなわち、カバー部材を取り外せば、外装筐体本体の側壁部（接続端子群）が露出することとなる。このことにより、カバー部材を取り外した状態で、接続端子群に接続ケーブルを接続することができ、接続ケーブルの接続作業を容易に実施できる。
【０００９】
本発明のプロジェクターでは、前記外装筐体は、前記天面部側から見た場合に略矩形形状を有し、前記カバー部材は、前記外装筐体における略矩形形状の角部分に設けられていることが好ましい。
本発明では、カバー部材は、外装筐体における略矩形形状の角部分に設けられている。すなわち、外装筐体本体には貫通孔を構成する側壁部が２つ設けられ、各側壁部が略Ｌ字形状を有するように接続することとなる。このことにより、例えばカバー部材が外装筐体における角部分以外の位置に設けられた構成、すなわち、外装筐体本体には貫通孔を構成する側壁部が３つ設けられ、各側壁部が略Ｕ字形状を有するように接続する構成と比較して、カバー部材を取り外した際での露出した接続端子群周囲の空間を大きく取ることができる。このため、接続端子群への接続ケーブルの接続作業をさらに容易に実施できる。
【発明を実施するための最良の形態】
【００１０】
以下、本発明の実施の一形態を図面に基づいて説明する。
〔プロジェクターの概略構成〕
図１は、本実施形態におけるプロジェクター１の外観を示す斜視図である。具体的に、図１は、プロジェクター１が正置き設置された状態を前面上側から見た斜視図である。
なお、以下で記載する「上」、「下」、「左」、「右」は、図１における図面視において、上下左右に相当するものである。また、以下で記載する「前面」、「背面」は、プロジェクター１において投射側（投射レンズ５が配置された側）を前面とし、その反対側を背面とする。
プロジェクター１は、画像情報に応じた画像を形成してスクリーン（図示略）上に投射する。このプロジェクター１は、図１に示すように、外装を構成する外装筐体２を備える。
外装筐体２は、鉛直方向に交差する天面部２１及び底面部２２と、前面部２３と、背面部２４と、右側面部２５と、左側面部２６とを備え、略直方体形状を有する。そして、外装筐体２は、プロジェクター１の装置本体を収納する。この外装筐体２は、図１に示すように、外装筐体本体３と、カバー部材４とを備える。
ここで、前記装置本体としては、光源装置、前記光源装置から射出された光束を画像情報に応じて変調する液晶パネル等の光変調装置、及び光変調装置にて変調された光束を投射する投射レンズ５（図１）等を有する光学ユニット、プロジェクター１内部を冷却する冷却ファン等を有する冷却ユニット、各構成部材に電力を供給する電源ユニット、及び光変調装置等を制御する制御装置等で構成されている。
なお、前記装置本体については、種々の一般的なプロジェクターで利用されているため、具体的な図示を省略する。
【００１１】
〔外装筐体本体の構成〕
外装筐体本体３は、前記装置本体を収納する部分である。
この外装筐体本体３において、前面部２３には、図１に示すように、投射レンズ５から投射された画像を通過させるための画像通過用開口部２３１が形成されている。
また、外装筐体本体３において、天面部２１の左右両側には、図１に示すように、一対の把持部２１１が取り付けられている。
一対の把持部２１１は、プロジェクター１を持ち運ぶ際等に利用者により把持される部材であり、略Ｕ字形状を有するように形成されている。そして、一対の把持部２１１は、互いに平行となり、かつ、前後方向に延出するように、Ｕ字形状の両端が天面部２１にそれぞれ取り付けられている。
【００１２】
これら一対の把持部２１１には、図１に示すように、プロジェクター１を天吊り設置する際に、天吊り用の金具（図示略）が取り付けられる複数のネジ孔２１１Ａが形成されている。
すなわち、本実施形態のプロジェクター１は、天吊り設置する際に、天面部２１が上方側に向き底面部２２が下方側に向く姿勢で設置するように設計されている。
【００１３】
図２は、外装筐体本体３の前面右側を拡大した斜視図である。
さらに、外装筐体本体３において、前面右側の角部分（投射レンズ５の配設位置の右側）は、図２に示すように、Ｌ字状に切り欠かれ、カバー部材４が設置されるカバー設置部３Ａが形成されている。
カバー設置部３Ａは、図２に示すように、係合部３１と、嵌合部３２とで構成されている。
係合部３１は、外装筐体本体３におけるＬ字状に切り欠かれた各側壁部３Ｂ，３Ｃのうち、前後方向に延びる第１側壁部３Ｂから右側に突出している。この係合部３１は、図２に示すように、一対の案内レール３１１と、一対の筐体側係止受け部３１２と、筐体側係止突起３１３とを備える。
【００１４】
一対の案内レール３１１は、上下方向に所定の間隔を空け、前後方向に延びるように形成されている。
一対の筐体側係止受け部３１２は、一対の案内レール３１１の前面側に位置し、前後方向に延びるとともに背面側の端部が下方側に延びるＬ字形状を有している。
筐体側係止突起３１３は、一対の案内レール３１１間に位置し、上下方向に延びるとともに先端が前面側に延びるＬ字形状を有している。
【００１５】
嵌合部３２は、外装筐体本体３におけるＬ字状に切り欠かれた各側壁部３Ｂ，３Ｃのうち、左右方向に延びる第２側壁部３Ｃから前面側に突出し、先端部分が平坦状に形成されている。
そして、この嵌合部３２の外周面のうち、左側面は、第１側壁部３Ｂに接続している。また、他の側面は、天面部２１、右側面部２５、及び底面部２２に対して外装筐体本体３内部に向けて段落ち形成されている。
【００１６】
この嵌合部３２の外周面において、右側面には、固定ネジＳｃ（図３、図４、図６参照）が螺合するネジ孔３２１が形成されている。
また、嵌合部３２において、先端の下方側には、電源ケーブル（図示略）が接続されるインレットコネクター６が設けられている。
さらに、嵌合部３２において、インレットコネクター６の上方側には、背面側に窪む端子用凹部３２２が形成されている。
そして、端子用凹部３２２の底部分には、外部機器と接続ケーブル（図示略）を介して接続し、接続ケーブルを介して外部機器から画像情報（画像信号）等を入力するための接続端子群７が露出した状態で配設されている。
接続端子群７は、前記制御装置と電気的に接続する。そして、接続端子群７を介して入力した画像信号等は、前記制御装置にて処理される。
【００１７】
〔カバー部材の構成〕
図３ないし図６は、カバー部材４の構成を示す図である。具体的に、図３は、カバー部材４を前面右上側から見た斜視図である。図４は、カバー部材４を前面右下側から見た斜視図である。図５は、カバー部材４を前面左上側から見た斜視図である。図６は、カバー部材４を背面側から見た図である。
カバー部材４は、図３ないし図６に示すように、背面側に開口部４Ａ（図６）を有する箱状に形成され、外装筐体本体３に取り付けられることで上述したインレットコネクター６や接続端子群７を保護する。
このカバー部材４において、天面部２１には、図３、図５または図６に示すように、背面側の端部から前面側に向けて略Ｕ字状に切り欠かれた天面側切欠部４１が形成されている。また、カバー部材４の底面部２２にも、図４または図６に示すように、天面側切欠部４１と同様の底面側切欠部４２が形成されている。
そして、カバー部材４の天面部２１及び底面部２２には、各切欠部４１，４２をそれぞれ閉塞する第１蓋体及び第２蓋体としての天面側蓋体４３（図３、図５、図６）及び底面側蓋体４４（図４、図６）が着脱自在に取り付けられている。
【００１８】
また、カバー部材４の左側壁部４Ｂには、図５に示すように、背面側の端部から前面側に向けて他の部位に対して内側に段落ち形成された第１凹部４５が形成されている。
この第１凹部４５は、その上下方向の幅寸法が上述した一対の案内レール３１１の離間寸法に対応するように形成されている。
この第１凹部４５において、底部分における上述した筐体側係止突起３１３に対応する位置には、図５または図６に示すように、左側に向けて膨出した略直方体形状のカバー側係止受け部４５１が形成されている。
このカバー側係止受け部４５１は、図６に示すように、内部が中空状に形成され、背面側の端面に開口部４５１Ａが形成されている。
【００１９】
さらに、第１凹部４５の前面側には、図５に示すように、第１凹部４５に対してさらに内側に段落ち形成された第２凹部４６が形成されている。
そして、第２凹部４６には、図５に示すように、係止レバー８が設置される。
係止レバー８は、上下方向に延びるように形成され、第２凹部４６の底部分に立設された一対の案内用突起４６１（図５、図６）にて案内されつつ上下方向に移動可能に設置される。
この係止レバー８において、上方側及び下方側には、図５または図６に示すように、背面側に突出し、上述した一対の筐体側係止受け部３１２に係合する一対のカバー側係止突起８１が形成されている。
一対のカバー側係止突起８１は、略同様の形状を有し、先端部分が下方側に屈曲した略Ｌ字形状を有する。
また、一対のカバー側係止突起８１において、下方側に屈曲した先端部分８１１は、背面側の角部分が面取りされている。すなわち、先端部分８１１には、図５または図６に示すように、下方側から上方側に向かうにしたがって前面側から背面側に傾斜した傾斜面８１１Ａが形成されている。
また、係止レバー８には、図５に示すように、前面側に膨出した略直方体形状の摘み部８２が形成されている。
そして、具体的な図示は省略したが、係止レバー８は、係止レバー８と第２凹部４６との間に配設されたコイルバネ等の付勢部材により、常に下方側に向けて付勢されている（図５に示す状態）。なお、以下では、説明の便宜上、図５に示す係止レバー８の位置を係止位置と記載する。
【００２０】
さらに、カバー部材４において、前面部２３には、図３ないし図５に示すように、左側の端部から右側に向けて略Ｕ字状に切り欠かれ、上述した摘み部８２を外部に露出させる操作用切欠部４７が形成されている。
この操作用切欠部４７は、摘み部８２の外形形状よりも上下方向に大きい形状を有している。
また、カバー部材４において、右側面部２５には、図３、図４または図６に示すように、上述したネジ孔３２１に対応する位置に、固定ネジＳｃのネジ頭を外部に露出させるとともに先端部分を内部に突出させ、回転可能な状態で固定ネジＳｃが設置されるネジ設置部４８が形成されている。
【００２１】
〔カバー部材の取付方法〕
次に、外装筐体本体３へのカバー部材４の取付方法を説明する。
図７は、外装筐体本体３にカバー部材４が取り付けられた状態を上方側から見た図である。
なお、図７では、説明の便宜上、各蓋体４３，４４の図示を省略している。
先ず、外装筐体本体３の前方側からカバー部材４の第１凹部４５の底部分に一対の案内レール３１１をあてがい、各案内レール３１１に沿ってカバー部材４を背面側にスライドさせる。
ここで、カバー部材４は、上述したように背面側にスライドすると、一対のカバー側係止突起８１における各傾斜面８１１Ａが一対の筐体側係止受け部３１２に当接する。また、カバー部材４がさらに背面側にスライドすると、各筐体側係止受け部３１２に各傾斜面８１１Ａが摺接しながら、前記付勢部材による付勢力に抗して、係止レバー８が上方側に移動する。そして、係止レバー８が上方側に移動し、各カバー側係止突起８１が一対の筐体側係止受け部３１２を乗り越えると、前記付勢部材による付勢力により、係止レバー８が下方側に移動して係止位置に位置付けられる。すなわち、各カバー側係止突起８１におけるＬ字形状内側に各筐体側係止受け部３１２が位置付けられることで各カバー側係止突起８１と各筐体側係止受け部３１２とが係合し、カバー部材４の前面側への移動が規制される。
【００２２】
また、上述した状態では、開口部４５１Ａを介してカバー側係止受け部４５１内部に筐体側係止突起３１３が挿通される。すなわち、カバー側係止受け部４５１と筐体側係止突起３１３とが係合し、カバー部材４の右側への移動が規制される。
さらに、上述した状態では、カバー部材４の開口部４Ａを介して嵌合部３２が挿通され、嵌合部３２がカバー部材４に嵌合する。
そして、ネジ設置部４８に取り付けられた固定ネジＳｃをネジ孔３２１に螺合することで、外装筐体本体３に対してカバー部材４が固定される。
【００２３】
以上のように外装筐体本体３にカバー部材４を取り付けた状態では、外装筐体２には、図７に示すように、各切欠部４１，４２を介して、上下方向に貫通した貫通孔２Ａが形成される。すなわち、上述したインレットコネクター６や接続端子群７は、貫通孔２Ａの内周面に配設されることとなる。
【００２４】
なお、カバー部材４は、外装筐体本体３に対して、以下のように取り外される。
先ず、固定ネジＳｃを回転させ、ネジ孔３２１から固定ネジＳｃを取り外す。
次に、外部から摘み部８２を操作することで、前記付勢部材による付勢力に抗して、係止レバー８を係止位置から上方側に移動させる。すなわち、この状態では、各カバー側係止突起８１と各筐体側係止受け部３１２との係合が解除された状態である。
そして、上記の状態を維持しながら、外装筐体本体３に対してカバー部材４を前面側に引き抜くことで、カバー部材４が取り外される。
【００２５】
〔貫通孔の利用形態〕
次に、上述した貫通孔２Ａの利用形態を説明する。
図８及び図９は、貫通孔２Ａの利用形態を説明するための図である。具体的に、図８はプロジェクター１を正置き設置した際の貫通孔２Ａの利用形態を示す図であり、図９はプロジェクター１を天吊り設置した際の貫通孔２Ａの利用形態を示す図である。また、図８（Ａ）及び図９（Ｂ）はプロジェクター１を前面下方側から見た図であり、図８（Ｂ）及び図９（Ａ）はプロジェクター１を前面上方側から見た図である。
プロジェクター１を正置き設置する際には、図８に示すように、各蓋体４３，４４のうち天面側蓋体４３のみを取り付ける。そして、具体的な図示は省略したが、インレットコネクター６や接続端子群７に接続された各ケーブルは、底面側切欠部４２を介して外部に引き回される。
一方、プロジェクター１を天吊り設置する際には、図９に示すように、各蓋体４３，４４のうち底面側蓋体４４のみを取り付ける。そして、具体的な図示は省略したが、インレットコネクター６や接続端子群７に接続された各ケーブルは、天面側切欠部４１を介して外部に引き回される。
【００２６】
上述した本実施形態によれば、以下の効果がある。
本実施形態では、外装筐体２には、天面部２１及び底面部２２を貫通し、内周面に接続端子群７が配設された貫通孔２Ａが形成されている。このことにより、正置き設置と天吊り設置とで同様の姿勢となるようにプロジェクター１が設計されている場合であっても、インレットコネクター６や接続端子群７に接続され外部に引き回された各ケーブルを見え難いものとし、外観上好ましい構成とすることができる。
具体的に、プロジェクター１を正置き設置した際には、各ケーブルは、底面側切欠部４２を介して底面部２２と机等との間に引き回されることとなり、すなわち、見え難い位置に引き回されることとなり、外観上好ましい構成とすることができる。
一方、プロジェクター１を天吊り設置した際には、各ケーブルは、天面側切欠部４１を介して天面部２１と天井等との間に引き回されることとなり、すなわち、見え難い位置に引き回されることとなり、外観上好ましい構成とすることができる。
【００２７】
また、天面部２１及び底面部２２には天面側蓋体４３及び底面側蓋体４４がそれぞれ着脱自在に取り付けられているので、外観上さらに好ましい構成とすることができる。
具体的に、プロジェクター１を正置き設置した際には、天面側蓋体４３のみを天面部２１に取り付けることで、インレットコネクター６及び接続端子群７や、インレットコネクター６及び接続端子群７に接続された各ケーブルのコネクター等も隠すことができ、外観上さらに好ましい構成とすることができる。
一方、プロジェクター１を天吊り設置した際には、底面側蓋体４４のみを底面部２２に取り付けることで、上記同様に、インレットコネクター６及び接続端子群７や、インレットコネクター６及び接続端子群７に接続された各ケーブルのコネクター等も隠すことができ、外観上さらに好ましい構成とすることができる。
【００２８】
さらに、外装筐体２が上述した外装筐体本体３及びカバー部材４を備え、外装筐体本体３及びカバー部材４により貫通孔２Ａが形成される。すなわち、カバー部材４を取り外せば、外装筐体本体３の側壁部３Ｂ，３Ｃ（インレットコネクター６及び接続端子群７）が露出することとなる。このことにより、カバー部材４を取り外した状態で、インレットコネクター６や接続端子群７に各ケーブルを接続することができ、各ケーブルの接続作業を容易に実施できる。
【００２９】
また、カバー部材４は、外装筐体２の前面右側の角部分に設けられている。すなわち、外装筐体本体３には貫通孔２Ａを構成する側壁部３Ｂ，３Ｃが２つ設けられ、各側壁部３Ｂ，３Ｃが略Ｌ字形状を有するように接続することとなる。このことにより、例えばカバー部材が外装筐体における角部分以外の位置に設けられた構成、すなわち、外装筐体本体には貫通孔を構成する側壁部が３つ設けられ、各側壁部が略Ｕ字形状を有するように接続する構成と比較して、カバー部材４を取り外した際での露出したインレットコネクター６や接続端子群７周囲の空間を大きく取ることができる。このため、インレットコネクター６や接続端子群７への各ケーブルの接続作業をさらに容易に実施できる。
【００３０】
さらに、外装筐体本体３にはカバー設置部３Ａが設けられ、カバー部材４には各凹部４５，４６、及び係止レバー８が設けられているので、外装筐体本体３へのカバー部材４の着脱を容易に実施できる。
【００３１】
なお、本発明は前述の実施形態に限定されるものではなく、本発明の目的を達成できる範囲での変形、改良等は本発明に含まれるものである。
前記実施形態において、外装筐体本体３に対してカバー部材４が着脱自在に構成されていたが、これに限らず、外装筐体本体３にカバー部材４が一体に形成された構成、すなわち、外装筐体２自体に貫通孔２Ａを形成した構成としても構わない。
前記実施形態において、カバー部材４の配設位置は、外装筐体２の前面右側の角部分に限らず、その他の位置に設けても構わない。インレットコネクター６や接続端子群７の配設位置も同様である。
前記実施形態では、プロジェクター１は、天吊り設置する際に、天面部２１が上方側に向き底面部２２が下方側に向く姿勢で設置するように設計されていたが、これに限らない。例えば、天吊り設置する際に上記姿勢とは逆の姿勢（天面部２１が下方側に向き底面部２２が上方側に向く姿勢）で設置するように設計されたプロジェクターに本発明を採用しても構わない。
【産業上の利用可能性】
【００３２】
本発明のプロジェクターは、正置き及び天吊りのいずれで設置した場合であっても、外部に引き回された接続ケーブルを見え難いものとし、外観上好ましい構成とすることができるため、プレゼンテーションやホームシアターに用いられるプロジェクターとして利用できる。
【図面の簡単な説明】
【００３３】
【図１】本実施形態におけるプロジェクターの外観を示す斜視図。
【図２】前記実施形態における外装筐体本体の前面右側を拡大した斜視図。
【図３】前記実施形態におけるカバー部材の構成を示す図。
【図４】前記実施形態におけるカバー部材の構成を示す図。
【図５】前記実施形態におけるカバー部材の構成を示す図。
【図６】前記実施形態におけるカバー部材の構成を示す図。
【図７】前記実施形態における外装筐体本体にカバー部材が取り付けられた状態を上方側から見た図。
【図８】前記実施形態における貫通孔の利用形態を説明するための図。
【図９】前記実施形態における貫通孔の利用形態を説明するための図。
【符号の説明】
【００３４】
１・・・プロジェクター、２・・・外装筐体、２Ａ・・・貫通孔、３・・・外装筐体本体、３Ｃ・・・側壁部、４・・・カバー部材、７・・・接続端子群、２１・・・天面部、２２・・・底面部、４３・・・天面側蓋体（第１蓋体）、４４・・・底面側蓋体（第２蓋体）。
【図１】
2010169862.tif 000003
【図２】
2010169862.tif 000004
【図３】
2010169862.tif 000005
【図４】
2010169862.tif 000006
【図５】
2010169862.tif 000007
【図６】
2010169862.tif 000008
【図７】
2010169862.tif 000009
【図８】
2010169862.tif 000010
【図９】
2010169862.tif 000011